(57)【要約】      （修正有）【課題】撮影モード切替操作を簡便にできるようにする。【解決手段】２本の指f1,f2の接触時点の位置関係と、その後の移動方向によりＮ種類（図中には４種類のみが図示されている）のなぞり操作が定義され、Ｎ種類のなぞり操作のそれぞれに対して第１乃至第Ｎ撮影モードが対応付けられている。例えば、タッチスクリーン１８に対して、水平方向であって２本の指f1,f2が近づく方向のなぞり操作P1が定義され、なぞり操作P1に対して第１撮影モードが対応付けられている。CPUは、なぞり操作P1を検出した場合、第１撮影モードに切り替える。本発明は、例えば撮像装置に適用することができる。【選択図】図３
2010055598.tif 000002
【特許請求の範囲】
【請求項１】
パネルとタッチパネルとから構成されるタッチスクリーン手段と、
ユーザが指を前記タッチスクリーン手段の所定領域に接触させ、その後、前記指の接触を維持したまま前記所定領域を起点として所定方向に所定距離だけ指を移動させる操作をなぞり操作として、複数の指の接触時点の位置関係とその後の移動方向とによりＮ種類（Ｎは１以上の整数値）の前記なぞり操作が定義され、前記Ｎ種類のなぞり操作のそれぞれに対して１つの機能が対応付けられおり、前記Ｎ種類のうち所定種類の前記なぞり操作がなされた場合、前記所定種類に対応付けられ機能を設定する設定手段と
を備える情報処理装置。
【請求項２】
前記なぞり操作の前に前記１以上の指の前記タッチスクリーン手段への接触が検出された場合、前記Ｎ種類のなぞり操作のうち、検出された１以上の前記指の位置関係から、行われる可能性があるなぞり操作の仕方をガイドするガイド表示を前記タッチスクリーン手段に表示させる表示制御手段
をさらに備える請求項１に記載の情報処理装置。
【請求項３】
前記設定手段は、さらに、前記なぞり操作における指の移動距離に応じて、機能の効果を段階的に調整する設定をする
請求項１に記載の情報処理装置。
【請求項４】
パネルとタッチパネルとから構成されるタッチスクリーン手段を備える情報処理装置が、
ユーザが指を前記タッチスクリーン手段の所定領域に接触させ、その後、前記指の接触を維持したまま前記所定領域を起点として所定方向に所定距離だけ指を移動させる操作をなぞり操作として、
複数の指の接触時点の位置関係とその後の移動方向とによりＮ種類（Ｎは１以上の整数値）の前記なぞり操作が定義され、前記Ｎ種類のなぞり操作のそれぞれに対して１つの機能が対応付けられている場合、
前記Ｎ種類のうち所定種類の前記なぞり操作がなされたとき、前記所定種類に対応付けられ機能を設定する
ステップを含む情報処理方法。
【請求項５】
パネルとタッチパネルとから構成されるタッチスクリーン手段を備える情報処理装置を制御するコンピュータが、
ユーザが指を前記タッチスクリーン手段の所定領域に接触させ、その後、前記指の接触を維持したまま前記所定領域を起点として所定方向に所定距離だけ指を移動させる操作をなぞり操作として、
複数の指の接触時点の位置関係とその後の移動方向とによりＮ種類（Ｎは１以上の整数値）の前記なぞり操作が定義され、前記Ｎ種類のなぞり操作のそれぞれに対して１つの機能が対応付けられている場合、
前記Ｎ種類のうち所定種類の前記なぞり操作がなされたとき、前記所定種類に対応付けられ機能を設定する
ステップを含む制御処理を実行するプログラム。
【発明の詳細な説明】
【技術分野】
【０００１】
本発明は、情報処理装置および方法、並びにプログラムに関し、特に、簡便かつ直観的な撮影モード切替操作で多数の撮影モードを切り替えることができるようになった、情報処理装置および方法、並びにプログラムに関する。
【背景技術】
【０００２】
デジタルカメラ（特許文献１参照）は、撮影に関する機能を複数有している。例えば、デジタルカメラは、所定の撮影モードによって撮影をする機能（以下、撮影モード機能と称する）を有している。撮影モード機能は、複数の撮影モード毎に設けられている。ユーザは、複数の撮影モード機能のうち所望の１つを設定する操作をすることができる。換言すると、かかる操作は、撮影モードの切り替え操作であると把握することができる。よって、かかる操作を、以下、撮影モード切替操作と称する。
【０００３】
従来、ハードウエアのダイアル（以下、ハードダイアルと称する）がデジタルカメラに実装されていた。ハードダイアルの各ダイアルには、各撮影モードが対応付けられていたり、撮影モードを切り替えるための特別なメニューや設定画面の表示指示が対応付けられていた。
【０００４】
また、ハードダイアルの各ダイアルの代わりに、専用のハードウエアの釦がデジタルカメラに実装されている場合もある。
【先行技術文献】
【特許文献】
【０００５】
【特許文献１】特開２００７−０１９６８５号公報
【発明の概要】
【発明が解決しようとする課題】
【０００６】
しかしながら、上述したようなハードダイアルや釦を用いた撮影モード切替操作は、ユーザにとって、煩雑で手間のかかる操作であり、また、直観的な操作とは言い難かった。
【０００７】
例えば、ハードダイアルの回転操作で撮影モードを切り替える、といった撮影モード切替操作が採用されている場合、各ダイアル上には、対応付けられた撮影モードを示すアイコンが印字される。しかしながら、ユーザは、そのアイコンがどの撮影モードを示しているのかを予め記憶しておく必要がある。近年の多機能化に伴う撮影モードの増大を考慮すると、全てのアイコン（全ての撮影モード）を記憶することは容易ではない。よって、ユーザは、少なくともアイコンを記憶するまでは、マニュアルで確認したりする等の煩雑で手間のかかる操作が必要となる。アイコンの記憶が必要という操作は、そもそも直観的な操作とは言えない。
【０００８】
この場合、例えば、ハードダイアルの回転操作に伴い、現在どの撮影モードになっているのかを示すメッセージを液晶パネルに表示させることで、ある程度、撮影モード切替操作をしているユーザの手助けにはなる。しかしながら、この場合も、ユーザは、所望の撮影モードに辿りつくまでには、ハードダイアルの複数回の回転操作を行い、その都度、液晶パネルのメッセージを視認する、といった煩雑で手間のかかる操作が必要となる。
【０００９】
また、撮影モードを切り替えるための特別なメニューや設定画面の表示指示がなされた場合には、ユーザは、それ以降、メニューや設定画面の中から所望の撮影モードを選択する等の煩雑で手間のかかる操作が必要となる。
【００１０】
このような従来の撮影モード切替操作、即ち、煩雑で手間がかかり、また、直観的ではない撮影モード切替操作を行っていたのでは、ユーザは、カメラとして重視すべき撮影タイミングを逃すことになりかねない。
【００１１】
また、そもそも、ハードダイアルのサイズには限界があり、それに印字できるアイコンの数も限定され、その結果、設定可能な撮影モードの数にも限りがある。
【００１２】
本発明は、このような状況に鑑みてなされたものであり、簡便かつ直観的な撮影モード切替操作で多数の撮影モードを切り替えることができるようにするものである。
【課題を解決するための手段】
【００１３】
本発明の一側面の情報処理装置は、パネルとタッチパネルとから構成されるタッチスクリーン手段と、ユーザが指を前記タッチスクリーン手段の所定領域に接触させ、その後、前記指の接触を維持したまま前記所定領域を起点として所定方向に所定距離だけ指を移動させる操作をなぞり操作として、複数の指の接触時点の位置関係とその後の移動方向とによりＮ種類（Ｎは１以上の整数値）の前記なぞり操作が定義され、前記Ｎ種類のなぞり操作のそれぞれに対して１つの機能が対応付けられおり、前記Ｎ種類のうち所定種類の前記なぞり操作がなされた場合、前記所定種類に対応付けられ機能を設定する設定手段とを備える。
【００１４】
前記なぞり操作の前に前記１以上の指の前記タッチスクリーン手段への接触が検出された場合、前記Ｎ種類のなぞり操作のうち、検出された１以上の前記指の位置関係から、行われる可能性があるなぞり操作の仕方をガイドするガイド表示を前記タッチスクリーン手段に表示させる表示制御手段をさらに備える。
【００１５】
前記設定手段は、さらに、前記なぞり操作における指の移動距離に応じて、機能の効果を段階的に調整する設定をする。
【００１６】
本発明の一側面の情報処理方法およびプログラムは、上述した本発明の一側面の情報処理装置に対応する方法およびプログラムである。
【００１７】
本発明の一側面の情報処理方法およびプログラムにおいては、パネルとタッチパネルとから構成されるタッチスクリーン手段を備える情報処理装置に対して、ユーザが指を前記タッチスクリーン手段の所定領域に接触させ、その後、前記指の接触を維持したまま前記所定領域を起点として所定方向に所定距離だけ指を移動させる操作をなぞり操作として、複数の指の接触時点の位置関係とその後の移動方向とによりＮ種類（Ｎは１以上の整数値）の前記なぞり操作が定義され、前記Ｎ種類のなぞり操作のそれぞれに対して１つの機能が対応付けられている場合、前記Ｎ種類のうち所定種類の前記なぞり操作がなされたとき、前記所定種類に対応付けられ機能が設定される。
【発明の効果】
【００１８】
以上のごとく、本発明によれば、例えば、なぞり操作に対応付ける機能として撮影モード切替機能を採用することで、撮影モード切替操作が実現できる。特に、簡便かつ直観的な撮影モード切替操作で多数の撮影モードを切り替えることができるようになる。
る。
【図面の簡単な説明】
【００１９】
【図１】本発明が適用される情報処理装置の一実施形態としての撮像装置の構成例を示すブロック図である。
【図２】図１の撮像装置の外観の構成例を示す斜視図である。
【図３】撮像装置に対する撮影モード切替操作の例を説明する図である。
【図４】撮像装置に対する撮影モード切替操作の例を説明する図である。
【図５】図１の撮像装置が実行する処理のうちの、撮影モード切替処理の一例を説明するフローチャートである。
【図６】本発明が適用される情報処理装置の構成例であって、図１とは異なる構成例を示すブロック図である。
【発明を実施するための形態】
【００２０】
以下、図面を参照して、本発明の実施の形態について説明する。
【００２１】
図１は、本発明が適用された情報処理装置の一実施形態としての撮像装置の構成例を示すブロック図である。
【００２２】
図１の例では、撮像装置は、レンズ部１１乃至タッチパネル２８を含むように構成されている。
【００２３】
レンズ部１１は、撮影レンズ、絞り、フォーカスレンズ等から構成される。レンズ部１１を介して入射する被写体光の光路上には、CCD(Charge Coupled Device)等の撮像素子１２が配置されている。
【００２４】
撮像素子１２、アナログ信号処理部１３、A/D(Analog/Digital)変換部１４、およびデジタル信号処理部１５がその順番で接続されている。
【００２５】
デジタル信号処理部１５にはまた、液晶パネル１７、記録デバイス１９およびタッチパネル２８が接続されている。
【００２６】
レンズ部１１には、レンズ部１１を構成する絞りの調整や、フォーカスレンズの移動を行うためのアクチュエータ２０が接続されている。アクチュエータ２０には、モータドライブ２１も接続されている。モータドライブ２１は、アクチュエータ２０の駆動制御を行う。
【００２７】
CPU(Central Processing Unit)２３は、撮像装置全体を制御する。このため、CPU２３には、アナログ信号処理部１３、A/D変換部１４、デジタル信号処理部１５、モータドライブ２１、TG(Timing Generator)２２、操作部２４、EEPROM(Electrically Erasable Programmable ROM)２５、プログラムROM(Read Only Memory)２６、RAM(Random Access Memory)２７、タッチパネル１６、およびタッチパネル２８が接続されている。
【００２８】
タッチスクリーン１８は、タッチパネル１６と液晶パネル１７により構成されている。タッチパネル２８は、タッチスクリーン１８と対向する撮像装置の面、即ち、撮像レンズ側の面に配置されている（後述する図２参照）。
【００２９】
記録デバイス１９は、例えばDVD(Digital Versatile Disc)等の光ディスクやメモリカード等の半導体メモリその他のリムーバブルな記録媒体で構成されている。記録デバイス１９は、撮像装置本体に対して着脱自在となっている。
【００３０】
EEPROM２５は、設定された各種情報を記憶する。その他の情報、例えば、電源状態がオフにされたときにも保持すべき情報等がEEPROM２５に記憶される。
【００３１】
プログラムROM２６は、CPU２３が実行するプログラムおよびプログラムを実行する上で必要なデータを記憶する。
【００３２】
RAM２７は、CPU２３が各種処理を実行する際のワークエリアとして必要なプログラムやデータを一時記憶する。
【００３３】
以下、図１の構成の撮像装置全体の動作の概略について説明する。
【００３４】
CPU２３は、プログラムROM２６に記録されているプログラムを実行することにより、撮像装置を構成する各部を制御する。また、CPU２３は、タッチパネル１６またはタッチパネル２８からの信号や、操作部２４からの信号に応じて、所定の処理を実行する。この処理の具体例については、図５のフローチャートを参照して後述する。
【００３５】
操作部２４は、ユーザによって操作され、その操作に対応する信号をCPU２３に提供する。
【００３６】
すなわち、タッチスクリーン１８またはタッチパネル２８は、任意の位置に指が触れる等して接触されると、つまりユーザにより所定の操作入力がなされると、接触された位置の座標を検出する。検出された座標を示す電気信号（以下、座標信号と称する）がCPU２３に送出される。CPU２３は、座標信号から接触位置の座標を認識し、座標に対応付けられた所定の情報を取得し、その情報に基づいて所定の処理を実行する。
【００３７】
なお、本明細書では、接触とは、静的な接触（所定の一領域のみの接触）だけではなく、動的な接触（指等の接触物体が所定の軌跡を描いて動く接触）も含む。例えば、画像上の紙をめくるような指のなぞりも、接触の一形態である。
【００３８】
アクチュエータ２０の駆動により、レンズ部１１は、撮像装置の筐体から露出または収納される。また、アクチュエータ２０の駆動により、レンズ部１１を構成する絞りの調整や、レンズ部１１を構成するフォーカスレンズの移動が行われる。
【００３９】
TG２２は、CPU２３の制御に基づいて、タイミング信号を撮像素子１２に提供する。タイミング信号により、撮像素子１２における露出時間等が制御される。
【００４０】
撮像素子１２は、TG２２から提供されるタイミング信号に基づいて動作することにより、レンズ部１１を介して入射する被写体光を受光して光電変換を行う。そして、受光量に応じたアナログの画像信号をアナログ信号処理部１３に提供する。このとき、モータドライブ２１は、CPU２３の制御に基づいてアクチュエータ２０を駆動する。
【００４１】
アナログ信号処理部１３は、CPU２３の制御に基づいて、撮像素子１２から提供されたアナログの画像信号に対して増幅等のアナログ信号処理を施す。その結果得られるアナログの画像信号は、アナログ信号処理部１３からA/D変換部１４に提供される。
【００４２】
A/D変換部１４は、CPU２３の制御に基づいて、アナログ信号処理部１３からのアナログの画像信号をA/D変換する。その結果得られるデジタルの画像信号は、A/D変換部１４からデジタル信号処理部１５に提供される。
【００４３】
デジタル信号処理部１５は、CPU２３の制御に基づいてA/D変換部１４から提供されたデジタルの画像信号に対して、ノイズ除去処理等のデジタル信号処理を施す。デジタル信号処理部１５は、そのデジタルの画像信号に対応する画像を、液晶パネル１７に表示させる。
【００４４】
また、デジタル信号処理部１５は、A/D変換部１４から提供されたデジタルの画像信号を、例えばJPEG(Joint Photographic Experts Group)等の所定の圧縮符号化方式に従って圧縮符号化する。デジタル信号処理部１５は、圧縮符号化されたデジタルの画像信号を、記録デバイス１９に記録させる。
【００４５】
デジタル信号処理部１５はまた、記録デバイス１９から圧縮符号化されたデジタルの画像信号を読み出し、所定の圧縮符号化方式に対応する伸張復号方式に従って伸張復号する。デジタル信号処理部１５は、そのデジタルの画像信号に対応する画像を液晶パネル１７表示させる。
【００４６】
その他、デジタル信号処理部１５は、CPU２３の制御に基づいて、AF（auto focus）の機能を発揮させるために用いる枠（以下、AF枠と称する）の画像を生成し、液晶パネル１７に表示させる。
【００４７】
即ち、撮像素子１２によって撮像された画像は液晶パネル１７に表示される。この場合、液晶パネル１７に表示された画像上にAF枠が設定される。このAF枠の内部の画像に基づいてフォーカスが制御される。
【００４８】
このように、撮像装置はAF機能を有している。AF機能は、フォーカスの制御機能の他、液晶パネル１７に表示された画像上の任意の位置にAF枠を設定する機能を含む。さらに、AF機能は、液晶パネル１７とタッチパネル１６から構成されたタッチスクリーン１８に対する操作だけで、その位置やサイズ等の制御を行う機能を含む。
【００４９】
AF機能を実現させる処理は、CPU２３が、プログラムROM２６のプログラムを読み出して実行することで実現される。また、撮像装置は、その他にも、AE（Automatic Exposure）機能、AWB（Auto White Balance）機能を有している。これらの機能についても、CPU２３が、プログラムROM２６のプログラムを読み出して実行することで実現される。
【００５０】
さらにいえば、AF機能、AE機能、およびAWB機能は、撮像装置が有する機能の例示にしか過ぎない。即ち、撮像装置は、撮影に関する各種機能を有している。以下、各種機能のうち、撮影に関する基本的な機能を、基本機能と称し、撮影に関する応用的な機能を、応用機能と称する。基本機能としては、AF機能、AE機能、およびAWB機能の他、例えば、「撮影モード選択機能」や「撮影タイマの設定機能」等を採用することができる。応用機能としては、例えば、「画素数変更機能」や「色彩調整機能」等を採用することができる。
【００５１】
撮像装置は、基本機能として、複数の撮影モード機能を有している。
【００５２】
図２は、図１の例の撮像装置の外観の構成例を示す斜視図である。
【００５３】
なお、以下、撮像装置の面のうち、ユーザが被写体を撮影する場合に被写体と対向する面、即ち、レンズ部１１が配置される面を前面と称する。一方、撮像装置の面のうち、ユーザが被写体を撮影する場合にユーザと対向する面、即ち、前面の反対側の面を後面と称する。また、撮像装置の面のうち、ユーザが被写体を撮影する場合に、上側に配置される面を上面と、下側に配置される面を下面と、それぞれ称する。
【００５４】
図２のＡは、撮像装置の前面の外観の構成例を示す斜視図である。図２のＢは、撮像装置の後面の外観の構成例を示す斜視図である。
【００５５】
撮像装置の前面は、レンズカバー４７で覆うことができる。前面のレンズカバー４７が図中下方に開かれると、図２のＡの状態になる。図２のＡに示されるように、レンズカバー４７の覆いが除かれた前面の上部には、その右方から、レンズ部１１に含まれる撮影レンズ４５とAFイルミネータ４６がその順番で配置されている。また、レンズカバー４７が覆われている前面の下部のうち、撮像装置中央付近の、ユーザが被写体を撮影する場合に保持しない部分には、タッチパネル２８が配置されている。
【００５６】
AFイルミネータ４６は、セルフタイマランプを兼ねている。撮像装置の上面には、図２のＡの左方から、ズームレバー（TELE/WIDE）４１、シャッタボタン４２、再生ボタン４３およびパワーボタン４４がその順番で配置されている。ズームレバー４１、シャッタボタン４２、再生ボタン４３、およびパワーボタン４４は、図１の操作部２４に含まれる。
【００５７】
図２のＢに示されるように、撮像装置の後面の全体には、タッチスクリーン１８が配置されている。
【００５８】
このように、撮像装置の後面にタッチスクリーン１８が設けられているので、ユーザは、被写体を撮影する場合に、撮像装置の前面を被写体に向けたままの状態で、タッチスクリーン１８によるGUI（Graphical User Interface）の操作を行うことができる。
【００５９】
タッチスクリーン１８によるGUIの操作として、例えば本実施の形態では、上述の撮影モード切替操作を行うことができる。
【００６０】
そこで、以下、図３を参照して、本発明が適用される撮影モード切替操作の一例について説明する。
【００６１】
なお、以下、デフォルトで決定されている所定の撮影モードを、ノーマル撮影モードと称する。そして、ノーマル撮影モードにより撮影された撮影画像を基準画像と称する。
【００６２】
前提事項として、CPU２３は、タッチスクリーン１８に複数の指が接触（タップ）したことを同時に認識できるとする。また、CPU２３は、複数の指がドラッグ操作したことや、個々の指がどの方向にドラッグ操作したかを認識できるとする。 
【００６３】
また、撮影モード切替操作の基本操作としては、なぞり操作が採用されている。なぞり操作とは、ユーザが指をタッチスクリーン１８の所定領域に接触させ（タップし）、その後、指の接触を維持したまま、所定領域を起点として所定方向に所定距離だけ指を移動させる（ドラッグする）操作をいう。
【００６４】
複数の指の接触時点の位置関係とその後の移動方向とによりＮ種類（Ｎは１以上の整数値）のなぞり操作が定義され、Ｎ種類のなぞり操作のそれぞれに対して１つの撮影モードが対応付けられているとする。
【００６５】
例えば、図３の例では、２本の指f1,f2の接触時点の位置関係と、その後の移動方向によりＮ種類（図中には４種類のみが図示されている）のなぞり操作が定義され、Ｎ種類のなぞり操作のそれぞれに対して第１乃至第Ｎ撮影モードが対応付けられているとする。
【００６６】
具体的には例えば、図３の例では、「２本の指f1,f2の接触時点の位置関係」としては、２本の指f1,f2が水平方向に配置される位置関係（以下、単に水平方向と表現する）や、２本の指f1,f2が垂直方向に配置される位置関係（以下、単に垂直方向と表現する）が存在する。なお、水平方向とは、厳密な意味の水平方向ではなく、厳密な意味の水平方向に対して、一定の尤度（一定の範囲）がある方向をいう。同様に、垂直方向とは、厳密な意味の垂直方向ではなく、厳密な意味の垂直方向に対して、一定の尤度（一定の範囲）がある方向をいう。
【００６７】
また例えば、図３の例では、「その後の移動方向」としては、２本の指f1,f2が近づく方向や遠ざかる方法が存在する。
【００６８】
即ち、タッチスクリーン１８に対して、水平方向であって２本の指f1,f2が近づく方向のなぞり操作P1が定義され、なぞり操作P1に対して第１撮影モードが対応付けられている。この場合、第1撮影モードは特に限定されないが、なぞり操作P1から直感的に理解することができる撮影モードであると好適である。例えば、基準画像の拡大画像を撮影するモード（以下、マクロ撮影モードと称する）を、第１撮影モードとして採用すると好適である。
【００６９】
タッチスクリーン１８に対して、水平方向であって２本の指f1,f2が遠ざかる方向のなぞり操作P2が定義され、なぞり操作P2に対して第２撮影モードが対応付けられている。こ
の場合、第２撮影モードは特に限定されないが、なぞり操作P2から直感的に理解することができる撮影モードであると好適である。例えば、基準画像の撮影範囲よりも広い撮影範囲で撮影するモード（以下、広角撮影モードと称する）を、第２撮影モードとして採用すると好適である。
【００７０】
タッチスクリーン１８に対して、垂直方向であって２本の指f1,f2が近づく方向のなぞり操作P3が定義され、なぞり操作P3に対して第３撮影モードが対応付けられている。この場合、第３撮影モードは特に限定されないが、なぞり操作P3から直感的に理解することができる撮影モードであると好適である。例えば、基準画像のサイズをフルサイズとすると、いわゆるパノラマサイズで撮影するパノラマモードと称する。
【００７１】
図３には図示しないが、タッチスクリーン１８に対して、垂直方向であって２本の指f1,f2が遠ざかる方向のなぞり操作P4が定義され、なぞり操作P4に対して第4撮影モードが対応付けられている。この場合、第４撮影モードは特に限定されないが、なぞり操作P4から直感的に理解することができる撮影モードであると好適である。
【００７２】
タッチスクリーン１８に対して、水平から垂直へ円周方向であって２本の指f1,f2が遠ざかる方向のなぞり操作P5が定義され、なぞり操作P5に対して第５撮影モードが対応付けられている。この場合、第５撮影モードは特に限定されないが、なぞり操作P5から直感的に理解することができる撮影モードであると好適である。
【００７３】
さらに、本発明が適用される撮影モード切替操作においては、ユーザの指f1がタッチスクリーン１８に接触された時点と、複数の指（本例では２本の指f1,f2）がタッチスクリーン１８に接触された時点との各時点で、誤操作防止のためのガイド表示が行われる。
【００７４】
例えば、図４に示されるように、指f1がタッチスクリーン１８に接触された時点では、２本目の指f2を接触させるべき場所へ誘導するためのシンボル６１，６２が表示される。なお、以下、このようなシンボル６１，６２等、ユーザの指f1がタッチスクリーン１８に接触された時点に表示されるガイドを、第１の誤操作ガイドと称する。
【００７５】
また例えば、図４に示されるように、２本の指f1,f2がタッチスクリーン１８に接触された時点では、２本の指f1,f2のなぞり操作の仕方を示すシンボル６４，６５と、それらのなぞり操作に対応付けられている撮影モードの情報６３が表示される。なお、シンボル６４，６５および撮影モードの情報６３は、図４の例では白黒表示とされているが、カラー表示とされてもよい。例えば、シンボル６４，６５のうち、指f1,f2が遠ざかる方向を示す三角印には青色表示を採用し、指f1,f2が近づく方向を示す三角印には赤色表示を採用することができる。この場合、撮影モードの情報６３も、シンボル６４，６５の色分けに対応させて色付けすることもできる。これにより、ユーザは、タッチスクリーン１８に接触させた指f1,f2をどう動かすことができるのか、また、どう動かすとどのような撮影モードに切り替わるのかについて、容易に理解することができるようになる。これにより、ユーザの誤操作が防止される。
【００７６】
なお、以下、このようなシンボル６４，６５や情報６３等、ユーザの２本の指f1,f2がタッチスクリーン１８に接触された時点に表示されるガイドを、第２の誤操作ガイドと称する。
【００７７】
また、CPU２３は、さらに、なぞり操作における指の移動距離に応じて、切換対象の撮影モードの効果を段階的に調整することもできる。
【００７８】
例えば、タッチスクリーン１８に対して、水平方向であって２本の指f1,f2が近づく方向のなぞり操作P1がなされた場合、CPU２３は、上述のごとく、第1撮影モードとしてマクロ撮影モードに切り替える。この場合、CPU２３は、さらに、２本の指f1,f2が近づく方向に移動したときの移動距離に応じて、マクロ撮影モードの効果、即ち拡大率を段階的に調整することもできる。
【００７９】
次に、図５のフローチャートを参照して、図３，図４を用いた操作例、即ち本実施の形態の撮影モード切替操作に対して、図１の撮像装置が実行する処理（以下、撮影モード切替処理と称する）について説明する。
【００８０】
ここで、撮像装置の動作状態のうち、タッチスクリーン１８に撮影画像が再生されている状態、即ち、撮影画像をユーザが視認できる状態を、撮影画像再生状態と称する。この場合の前提事項として、撮像装置の動作状態が、撮影画像再生状態に遷移すると、撮影モード切替処理が開始される。また、撮影モード切替処理は、フローチャートに記載の流れで終了する他、撮像装置の動作状態が撮影画像再生状態から別の状態に遷移した場合にも強制終了する。
【００８１】
また、図５の例は、説明の簡略上、４種類のなぞり操作P1乃至P4のみが採用されているとする。
【００８２】
ステップＳ１において、CPU２３は、タッチスクリーン１８に１本目の指f1が接触されたか否かを判定する。
【００８３】
タッチスクリーン１８のいずれの領域にも接触がなされない場合、ステップＳ１において、ＮＯであると判定されて、処理はステップＳ１に戻される。即ち、タッチスクリーン１８のいずれかの領域に接触がなされるまでの間、ステップＳ１の判定処理が繰り返し実行される。
【００８４】
その後、タッチスクリーン１８のいずれかの領域に指f1が接触した場合、タッチスクリーン１８を構成するタッチパネル１６から座標信号がCPU２３に入力される。従って、この座標信号がCPU２３に入力されると、CPU２３は、ステップＳ１の処理でＹＥＳであると判定し、処理をステップＳ２に進める。
【００８５】
ステップＳ２において、CPU２３は、デジタル信号処理部１５を制御して、第１の誤操作ガイドを表示させる。
【００８６】
ステップＳ３において、CPU２３は、タッチスクリーン１８に２本目の指f2が接触されたか否かを判定する。
【００８７】
タッチスクリーン１８の２つの領域に接触がなされない場合、ステップＳ３において、ＮＯであると判定されて、処理はステップＳ２に戻される。即ち、タッチスクリーン１８の２つの領域に接触がなされるまでの間、ステップＳ２，Ｓ３ＮＯのループ処理が繰り返し実行される。
【００８８】
その後、タッチスクリーン１８に、指f1が接触した状態でさらに指f2が接触した場合、タッチスクリーン１８を構成するタッチパネル１６から、指f1についての座標信号に加えてさらに、指f2についての座標信号がCPU２３に入力される。従って、これら２つの座標信号がCPU２３に入力されると、CPU２３は、ステップＳ３の処理でＹＥＳであると判定し、処理をステップＳ４に進める。
【００８９】
ステップＳ４において、CPU２３は、デジタル信号処理部１５を制御して、第２の誤操作ガイドを表示させる。
【００９０】
ステップＳ５において、CPU２３は、２本の指f1,f2の位置関係が、指を離した関係であるか否かを判定する。
【００９１】
２本の指f1,f2の位置関係が、指を離した関係である場合、２本の指f1,f2の各なぞり操作が行われないとして、ステップＳ５においてＮＯであると判定されて、撮影モード切替処理は終了となる。
【００９２】
これに対して、２本の指f1,f2の位置関係が、指を離した関係ではない場合、２本の指f1,f2のなぞり操作が行われる可能性があるとして、ステップＳ５においてＹＥＳであると判定されて、処理はステップＳ６に進む。
【００９３】
ステップＳ６において、CPU２３は、なぞり操作がなされたか否かを判定する。
【００９４】
なお、なぞり操作が行われているか否かは、タッチスクリーン１８を構成するタッチパネル１６から座標信号をCPU２３が監視することで実現できる。即ち、CPU２３は、座標信号の時系列から、指f1の軌跡を認識することができる。そこで、CPU２３は、その認識結果に基づいて、なぞり操作が実施されているか否かを検出する。
【００９５】
従って、CPU２３は、指f1の軌跡の認識結果によりなぞり操作が実施されていないと検出した場合、ステップＳ６でＮＯであると判定して、処理をステップＳ４に戻して、それ以降の処理を繰り返し実行する。
【００９６】
これに対して、CPU２３は、指f1の軌跡の認識結果によりなぞり操作が実施されていると検出した場合、ステップＳ６でＹＥＳであると判定して、処理をステップＳ７に進める。
【００９７】
ステップＳ７において、CPU２３は、水平方向のなぞり操作であるか否かを判定する。
【００９８】
水平方向のなぞり操作の場合、ステップＳ７においてＹＥＳであると判定され、処理はステップＳ８に進む。
【００９９】
ステップＳ８において、CPU２３は、近づく方向のなぞり操作であるか否かを判定する。
【０１００】
近づく方向のなぞり操作の場合、ステップＳ８においてＹＥＳであると判定され、処理はステップＳ１０に進む。
【０１０１】
この場合、図３に示されるなぞり操作P1、即ち、水平方向であって２本の指f1,f2が近づく方向のなぞり操作P1がなされたことになる。このなぞり操作P1には第１撮影モードが対応付けられている。よって、ステップＳ１０において、CPU２３は、第１撮影モード（例えばマクロ撮影モード）に切り替える。これにより、撮影モード切替処理は終了となる。
【０１０２】
これに対して、図３に示されるなぞり操作P2、即ち、水平方向であって２本の指f1,f2が遠ざかる方向のなぞり操作P2がなされた場合、ステップＳ８においてＮＯであると判定されて、処理はステップＳ１１に進む。なぞり操作P2には第２撮影モードが対応付けられているので、ステップＳ１１において、CPU２３は、第２撮影モード（例えば広角撮影モード）に切り替える。これにより、撮影モード切替処理は終了となる。
【０１０３】
また、垂直方向のなぞり操作P3またはP4がなされた場合、ステップＳ７においてＮＯであると判定されて、処理はステップＳ９に進む。
【０１０４】
ステップＳ９において、CPU２３は、近づく方向のなぞり操作であるか否かを判定する。
【０１０５】
近づく方向のなぞり操作の場合、ステップＳ９においてＹＥＳであると判定され、処理はステップＳ１２に進む。
【０１０６】
この場合、図３に示されるなぞり操作P3、即ち、垂直方向であって２本の指f1,f2が近づく方向のなぞり操作P3がなされたことになる。このなぞり操作P3には第３撮影モードが対応付けられている。よって、ステップＳ１２において、CPU２３は、第３撮影モード（例えばパノラマ撮影モード）に切り替える。これにより、撮影モード切替処理は終了となる。
【０１０７】
これに対して、垂直方向であって２本の指f1,f2が遠ざかる方向のなぞり操作P4がなされた場合、ステップＳ９においてＮＯであると判定されて、処理はステップＳ１３に進む。なぞり操作P4には第４撮影モードが対応付けられているので、ステップＳ１３において、CPU２３は、第４撮影モードに切り替える。これにより、撮影モード切替処理は終了となる。
【０１０８】
このような本発明が適用される撮影モード切替処理を実行できる情報処理装置（図１の撮像装置等）を採用することで、従来のようなハードダイアルや専用の釦は不要となる。これにより、多数の撮影モードの切り替えが容易に可能になる。また、図３や図４等を用いて説明した撮影モード切替操作のように、簡便でかつ直観的な操作が容易に実現可能になる。その結果、ユーザにとっては、カメラとして重視すべき撮影タイミングを逃すことが従来に比較して圧倒的に少なくなると予想される。
【０１０９】
ところで、上述した一連の処理は、ハードウエアにより実行させることもできるが、ソフトウエアにより実行させることができる。
【０１１０】
この場合、図１の撮像装置が実行してもよいことは勿論のこと、その他例えば、図６に示されるパーソナルコンピュータが実行してもよい。
【０１１１】
図６において、CPU１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１１２】
CPU１０１、ROM１０２、およびRAM１０３は、バス１０４を介して相互に接続されている。このバス１０４にはまた、入出力インタフェース１０５も接続されている。
【０１１３】
入出力インタフェース１０５には、キーボード、マウスなどよりなる入力部１０６、出力部１０７、ハードディスクなどより構成される記憶部１０８、モデムおよびターミナル
アダプタなどより構成される通信部１０９が接続されている。通信部１０９は、インターネットを含むネットワークを介して他の装置（図示せず）との間で行う通信を制御する。
【０１１４】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【０１１５】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１１６】
このようなプログラムを含む記録媒体は、図１または図６に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア（パッケージメディア）１１１（図６）により構成されるだけでなく、装置本体に予め組み込まれた状態でユーザに提供される、プログラムが記録されている図１のプログラムROM２６、図６のROM１０２、記憶部１０８に含まれるハードディスクなどで構成される。
【０１１７】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１１８】
また、本発明は、撮影モード機能以外の機能の設定にも適用可能である。即ち、所定の種類のなぞり操作を、撮影モード機能の代わりに別機能に対応付ければよい。逆に、撮影モード機能を含む各機能に対して、なぞり操作以外にも、タッチパネルに対する複数の接触に基づく別操作を割り当てることもできる。即ち、本発明は、なぞり操作以外の各種操作にも適用可能である。
【０１１９】
以上、本発明が適用された情報処理装置により表示が制御される表示装置として、液晶パネル１７といった液晶表示装置について説明してきた。ただし、本発明は、液晶パネルのみならず、次のような表示装置にも適用可能である。即ち、動画像を構成するフレームやフィールドといった単位（以下、かかる単位をコマと称する）毎に表示が指示される表示装置であって、所定時間の間、１コマを構成する複数の画素が表示素子により構成されており、それら表示素子のうちの少なくとも一部の表示を保持させることができる表示装置に適用できる。なお、以下、かかる表示素子をホールド型表示素子と称し、かかるホールド型表示素子により画面が構成される表示装置を、ホールド型表示装置と称する。即ち、液晶表示装置はホールド型表示装置の例示にしか過ぎず、本発明は、ホールド型表示装置全体に適用可能である。
【０１２０】
さらに、本発明は、ホールド型表示装置のみならず、例えば、発光素子として有機ＥＬ(Electro Luminescent)デバイスを用いた平面自発光型の表示装置等にも適用可能である。即ち、本発明は、画像が複数の画素から構成され、その画素を表示する表示素子を含む表示装置全体に適用可能である。なお、かかる表示装置を、画素型表示装置と称する。ここで、画素型表示装置において、１つの画素に１つの表示素子が必ずしも対応付けられている必要は特に無い。
【０１２１】
換言すると、本発明が適用された情報処理装置により表示が制御される表示装置は、上述した一連の処理を実行可能とする表示装置であれば足りる。
【符号の説明】
【０１２２】
１１  レンズ部，  １２  撮像素子,  １３  アナログ信号処理部，  １４  A/D変換部，  １５  デジタル信号処理部，  １６  タッチパネル，  １７  液晶パネル，  １８  タッチスクリーン，  １９  記録デバイス，  ２０  アクチュエータ，  ２１  モータドライブ，  ２２  TG，  ２３  CPU，  ２４  操作部，  ２５  EEPROM，  ２６  プログラムROM，  ２７  RAM，  ２８  タッチパネル，  ４１  ズームレバー，  ４２  シャッタボタン，  ４３  再生ボタン，  ４４  パワーボタン，  ４５  撮影レンズ，  ４６  AFイルミネータ，  ４７  レンズカバー，  １０１  CPU，  １０２  ROM，  １０３  RAM，  １０８  記憶部，  １１１  リムーバブルメディア
【図１】
2010055598.tif 000003
【図２】
2010055598.tif 000004
【図３】
2010055598.tif 000005
【図４】
2010055598.tif 000006
【図５】
2010055598.tif 000007
【図６】
2010055598.tif 000008